【手続補正書】
【提出日】平成16年1月21日(2004.1.21)
【手続補正１】
【補正対象書類名】明細書
【補正対象項目名】特許請求の範囲
【補正方法】変更
【補正の内容】
【特許請求の範囲】
【請求項１】
圧縮機、凝縮器、受液器、膨張弁及び蒸発器を有する冷凍装置において、ＨＦＣ系の疑似共沸混合冷媒を前記圧縮機により閉循環させるための配管と、前記圧縮機から吐出された冷媒を凝縮させるための凝縮器と、この凝縮器からの冷媒が流入する受液器と、この受液器からの液冷媒を更に冷却する過冷却器と、この過冷却器からの冷媒を膨張させる膨張弁と、この膨張弁からの冷媒を蒸発させる蒸発器とを備えたことを特徴とする冷凍装置。
【請求項２】
スクロール圧縮機、凝縮器、受液器、膨張弁及び蒸発器を有する冷凍装置において、Ｒ４０４Ａ，Ｒ５０７Ａ等のＨＦＣ系擬似共沸混合冷媒を前記スクロール圧縮機により閉循環させるための配管と、前記スクロール圧縮機から吐出されたＨＦＣ系冷媒を凝縮させるための凝縮器と、この凝縮器からのＨＦＣ系冷媒が流入する受液器と、この受液器から乾き度０のＨＦＣ系液冷媒のみを取り出し過冷却器に送るための配管と、この過冷却器からのＨＦＣ系冷媒を膨張させる膨張弁と、この膨張弁からのＨＦＣ系冷媒を蒸発させる蒸発器と、この蒸発器から前記スクロール圧縮機に送られる冷媒配管の途中に設けられたアキュームレータと、前記凝縮器と膨張弁との間の液冷媒を前記スクロール圧縮機における圧縮途中の圧力室に注入する液インジェクションラインとを備えることを特徴とする冷凍装置。
【請求項３】
請求項２において、前記過冷却器と膨張弁との間の冷媒配管に冷媒中に混入した水分を除去するドライヤと冷媒の流動状態を観察可能なサイトグラスとを設け、このドライヤとサイトグラスとの間の液冷媒を前記スクロール圧縮機に注入するように前記液インジェクションラインを設けたことを特徴とする冷凍装置。
【請求項４】
圧縮機及び凝縮器を有する冷凍機において、前記圧縮機からのＨＦＣ系の疑似共沸混合冷媒を前記凝縮器に送るための冷媒配管と、前記凝縮器からの冷媒が流入するようにした受液器と、この受液器から取り出された液冷媒のみをさらに冷却するための過冷却器と、この過冷却器からの冷媒を低圧機器側に送るための冷媒配管と、この冷媒配管の液冷媒の一部を前記圧縮機の圧縮室に注入するための液インジェクションラインと、低圧機器側からの冷媒を前記圧縮機に送るための冷媒配管とを備えたことを特徴とする冷凍機。
【請求項５】
スクロール圧縮機及び凝縮器を有する冷凍機において、 前記スクロール圧縮機により圧縮されるＲ４０４Ａ，Ｒ５０７Ａ等のＨＦＣ系の疑似共沸混合冷媒を前記凝縮器に送るための配管と、前記凝縮器からの冷媒が流入する受液器と、この受液器から乾き度０の液冷媒のみを取り出し過冷却器に送るための冷媒配管と、前記過冷却器からの冷媒を低圧機器側におくるための冷媒配管と、この冷媒配管の途中に設けられ冷媒中に混入した水分を除去するドライヤ及び冷媒の流動状態と冷媒中に含まれる水分の含有状態を観察可能なサイトグラスと、前記ドライヤ下流の液冷媒を前記スクロール圧縮機における圧縮途中の圧縮室に注入するための液インジェクションラインと、低圧機器側からの冷媒を前記圧縮機に送るための冷媒配管と、この冷媒配管の途中に設けられたアキュームレータとを備えたことを特徴とする冷凍機。
【請求項６】
凝縮器及び冷却ファンを備える冷凍装置用空冷式凝縮器ユニットにおいて、圧縮機ユニット側からのＨＦＣ系疑似共沸混合冷媒であるＲ４０４Ａを前記凝縮器に送るための冷媒配管と、前記凝縮器からの冷媒が流入するようにした受液器と、この受液器から取り出された液冷媒のみをさらに冷却するための過冷却器と、この過冷却器からの冷媒を前記圧縮機ユニット側に送るための冷媒配管とを備えたことを特徴とする冷凍装置用空冷式凝縮器ユニット。
【請求項７】
スクロール圧縮機を備える冷凍装置用圧縮機ユニットにおいて、前記スクロール圧縮機により圧縮されるＲ４０４Ａ，Ｒ５０７Ａ等のＨＦＣ系疑似共沸混合冷媒を冷凍装置用空冷式凝縮器ユニットの凝縮器に送るための配管と、前記凝縮器ユニットからの冷媒を低圧機器側に流すための冷媒配管と、この冷媒配管の途中に設けられ冷媒中に混入した水分を除去すると共にフィルタとしての機能も有するドライヤと、このドライヤ下流の液冷媒を前記スクロール圧縮機における圧縮途中の圧縮室に注入するための液インジェクションラインと、この液インジェクションラインに設けられた電磁弁及び電子膨張弁と、低圧機器側からの冷媒を前記スクロール圧縮機に送るための冷媒配管と、この冷媒配管の途中に設けられたアキュームレータとを備えたことを特徴とする冷凍装置用圧縮機ユニット。
【請求項８】
スクロール圧縮機を備える冷凍装置用圧縮機ユニットにおいて、前記スクロール圧縮機により圧縮される冷媒を冷凍装置用空冷式凝縮器ユニットの凝縮器に送るための配管と、前記凝縮器ユニットからの冷媒を低圧機器側に流すための冷媒配管と、この冷媒配管の途中に設けられた気液分離器と、この気液分離器下流の液冷媒を前記スクロール圧縮機における圧縮途中の圧縮室に注入するための液インジェクションラインと、この液インジェクションラインに設けられた電磁弁及び電子膨張弁と、低圧機器側からの冷媒を前記スクロール圧縮機に送るための冷媒配管と、この冷媒配管の途中に設けられたアキュームレータとを備え、このアキュームレータと前記気液分離器とを一体に構成し、気液分離器内の冷媒をアキュームレータ内の冷媒で冷却できるように構成したことを特徴とする冷凍装置用圧縮機ユニット。
【請求項９】
請求項６記載の前記冷凍装置用空冷式凝縮器ユニットを屋外に設置し、請求項７または８記載の前記冷凍装置用圧縮機ユニットを屋内に設置して配管接続されるように構成したことを特徴とする空冷セパレート式の冷凍機。
【請求項１０】
スクロール圧縮機及び凝縮器を有する冷凍機において、前記スクロール圧縮機により圧縮されるＲ４０４Ａ，Ｒ５０７Ａ等のＨＦＣ系疑似共沸混合冷媒を前記凝縮器に送るための配管と、前記凝縮器からの冷媒が流入する受液器と、この受液器から乾き度０の液冷媒のみを取り出し過冷却器に送るための冷媒配管と、前記過冷却器からの冷媒を低圧機器側に送るための冷媒配管と、この冷媒配管に設けられ冷媒中に混入した水分を吸着除去すると共にフィルタとしての機能も有するドライヤと、このドライヤ下流の液冷媒を前記スクロール圧縮機における圧縮途中の圧縮室に注入するための液インジェクションラインと、この液インジェクションラインに設けられた電磁弁と、低圧機器側からの冷媒を前記スクロール圧縮機に送るための冷媒配管と、この冷媒配管の途中に設けられたアキュームレータと、前記ドライヤ下流の冷媒配管を流れる冷媒の流動状態と冷媒中の水分含有状態を観察可能な構成とを備え、更に前記液インジェクションラインの取出口を圧縮機を有するユニット内の冷媒配管に設けたことを特徴とする冷凍機。
【請求項１１】
圧縮機を備える冷凍装置用圧縮機ユニットにおいて、前記圧縮機により圧縮されるＨＦＣ系疑似共沸混合冷媒であるＲ４０４Ａを冷凍装置用空冷式凝縮器ユニットの凝縮器に送るための配管と、前記凝縮器ユニットからの冷媒を低圧機器側に流すための冷媒配管と、この冷媒配管の途中に設けられ冷媒中に混入した水分を除去すると共にフィルタとしての機能も有するドライヤと、このドライヤ下流の液冷媒を前記スクロール圧縮機における圧縮途中の圧縮室に注入するための液インジェクションラインと、この液インジェクションラインに設けられた電磁弁と、低圧機器側からの冷媒を前記スクロール圧縮機に送るための冷媒配管と、この冷媒配管の途中に設けられたアキュームレータとを備えたことを特徴とする冷凍装置用圧縮機ユニット。
【請求項１２】
請求項７、８、１１の何れかにおいて、前記液インジェクションラインに設けられた電磁弁は圧縮機の停止時には閉とされるように制御されることを特徴とする冷凍装置用圧縮機ユニット。